(57)【特許請求の範囲】
【請求項１】
予め設定される一又は複数の設定項目の内容に従って情報処理を実行する情報処理部と、
前記設定項目の内容を予め設定された初期設定内容で表示させると共にユーザー操作に応じて前記設定項目の内容を変更する第１設定処理部と、
前記情報処理が実行されるごとに前記設定項目の内容を記憶部に記憶される一つの履歴データとして上書きして記憶させる記憶処理部と、
前記第１設定処理部によって前記履歴データにおける前記設定項目の内容と同じ内容で連続して前記情報処理が実行された回数をカウントするカウント処理部と、
前記カウント処理部によってカウントされている回数が予め設定された閾値に達した場合に、前記履歴データにおける前記設定項目の内容を前記初期設定内容として設定する第２設定処理部と、
を備える情報処理装置。
【請求項２】
前記カウント処理部が、前記履歴データにおける複数の前記設定項目の内容が全て同じ内容で連続して前記情報処理が実行された回数をカウントし、
前記第２設定処理部が、前記履歴データにおける前記設定項目各々の内容を前記設定項目各々に対応する前記初期設定内容として設定する請求項１に記載の情報処理装置。
【請求項３】
前記カウント処理部が、前記履歴データにおける前記設定項目の内容が同じ内容で連続して前記情報処理が実行された回数を前記設定項目ごとに個別にカウントし、
前記第２設定処理部が、前記カウント処理部によってカウントされている回数が前記閾値に達した前記設定項目に対応する前記初期設定内容のみを前記履歴データにおける前記設定項目の内容に設定する請求項１に記載の情報処理装置。
【請求項４】
前記情報処理装置を使用するユーザーを特定する特定処理部を更に備え、
前記記憶処理部が、前記ユーザーごとに一つの前記履歴データを前記記憶部に記憶させ、
前記カウント処理部が、前記ユーザーごとに回数をカウントし、
前記第２設定処理部が、前記ユーザーごとに前記初期設定内容を設定する請求項１〜３のいずれかに記載の情報処理装置。
【請求項５】
前記第２設定処理部によって前記初期設定内容が変更された場合に前記初期設定内容の変更を報知する報知処理部を更に備える請求項１〜４のいずれかに記載の情報処理装置。
【請求項６】
前記報知処理部が、前記第１設定処理部による前記設定項目の内容の設定に用いられる設定画面に前記初期設定内容の変更をポップアップ表示させる請求項５に記載の情報処理装置。
【請求項７】
前記設定画面に表示される前記初期設定内容の変更のポップアップ画面の背景が透明又は半透明である請求項６に記載の情報処理装置。
【請求項８】
前記報知処理部が、前記第２設定処理部によって前記初期設定内容が変更されている場合は、前記情報処理の実行ごとに前記初期設定内容が変更されていることを報知する請求項５〜７のいずれかに記載の情報処理装置。
【請求項９】
前記情報処理が、プリント処理、コピー処理、スキャン処理、又はファクシミリ通信処理である請求項１〜８のいずれかに記載の情報処理装置。
【請求項１０】
プロセッサーにより、
予め設定される一又は複数の設定項目の内容に従って情報処理を実行する第１ステップと、
前記設定項目の内容を予め設定された初期設定内容で表示させると共にユーザー操作に応じて前記設定項目の内容を変更する第２ステップと、
前記情報処理が実行されるごとに前記設定項目の内容を記憶部に記憶される一つの履歴データとして上書きして記憶させる第３ステップと、
前記第２ステップによって前記履歴データにおける前記設定項目の内容と同じ内容に連続して設定されて実行された前記情報処理の回数をカウントする第４ステップと、
前記第４ステップによってカウントされている回数が予め設定された閾値に達した場合に、前記履歴データにおける前記設定項目の内容を前記初期設定内容として設定する第５ステップと、
を実行する自動設定方法。
【発明の詳細な説明】
【技術分野】
【０００１】
本発明は、一又は複数の設定項目の内容に従って情報処理を実行する情報処理装置及び情報処理装置で実行される自動設定方法に関する。
【背景技術】
【０００２】
例えばシートに画像を印刷する印刷処理の開始時には、その印刷処理に関する一又は複数の設定項目の内容がユーザー操作に応じて設定される。これに対し、ユーザー操作による印刷処理の設定内容の過去の使用頻度に基づいて、ユーザーの好みの設定内容を予想する技術が知られている（例えば、特許文献１参照）。この種の技術によれば、ユーザーの好みの設定内容に自動的に設定することが可能であるため、ユーザーの設定操作の手間を軽減することが可能である。
【先行技術文献】
【特許文献】
【０００３】
【特許文献１】特開２００８−２５７６９８号公報
【発明の概要】
【発明が解決しようとする課題】
【０００４】
しかしながら、ユーザーの好みの設定内容を過去の使用頻度に基づいて予想するためには、過去の設定内容が蓄積して記憶される必要があり、記憶部に大きな記憶容量が必要になる。
【０００５】
本発明の目的は、必要な記憶容量を抑制しつつユーザーの設定操作の手間を軽減することが可能な情報処理装置及び自動設定方法を提供することにある。
【課題を解決するための手段】
【０００６】
本発明の一の局面に係る情報処理装置は、情報処理部と、第１設定処理部と、記憶処理部と、カウント処理部と、第２設定処理部とを備える。前記情報処理部は、予め設定される一又は複数の設定項目の内容に従って情報処理を実行する。前記第１設定処理部は、前記設定項目の内容を予め設定された初期設定内容で表示させると共にユーザー操作に応じて前記設定項目の内容を変更する。前記記憶処理部は、前記情報処理が実行されるごとに前記設定項目の内容を記憶部に記憶される一つの履歴データとして上書きして記憶させる。前記カウント処理部は、前記第１設定処理部によって前記履歴データにおける前記設定項目の内容と同じ内容に連続して設定されて実行された前記情報処理の回数をカウントする。前記第２設定処理部は、前記カウント処理部によってカウントされている回数が予め設定された閾値に達した場合に、前記履歴データにおける前記設定項目の内容を前記初期設定内容として設定する。
【０００７】
本発明の他の局面に係る自動設定方法は、プロセッサーにより、第１ステップ〜第５ステップを実行する方法である。前記第１ステップでは、予め設定される一又は複数の設定項目の内容に従って情報処理が実行される。前記第２ステップでは、前記設定項目の内容を予め設定された初期設定内容で表示させると共にユーザー操作に応じて前記設定項目の内容が変更される。前記第３ステップでは、前記情報処理が実行されるごとに前記設定項目の内容を記憶部に記憶される一つの履歴データとして上書きして記憶される。前記第４ステップでは、前記第２ステップによって前記履歴データにおける前記設定項目の内容と同じ内容に連続して設定されて実行された前記情報処理の回数がカウントされる。前記第５ステップでは、前記第４ステップによってカウントされている回数が予め設定された閾値に達した場合に、前記履歴データにおける前記設定項目の内容が前記初期設定内容として設定される。
【発明の効果】
【０００８】
本発明によれば、必要な記憶容量を抑制しつつユーザーの設定操作の手間を軽減することが可能な情報処理装置が提供される。
【図面の簡単な説明】
【０００９】
【図１】図１は、本発明の実施形態に係る画像形成装置の外観構成を示す図である。
【図２】図２は、本発明の実施形態に係る画像形成装置のシステム構成を示すブロック図である。
【図３】図３は、本発明の実施形態に係る画像形成装置で表示される表示画面の一例を示す図である。
【図４Ａ】図４Ａは、本発明の実施形態に係る画像形成装置で使用される第１設定情報の一例を示す図である。
【図４Ｂ】図４Ｂは、本発明の実施形態に係る画像形成装置で使用される第２設定情報の一例を示す図である。
【図５】図５は、本発明の実施形態に係る画像形成装置で実行される設定制御処理の手順の一例を示すフローチャート
【図６】図６は、本発明の実施形態に係る画像形成装置で表示される表示画面の一例を示す図である。
【図７】図７は、本発明の実施形態に係る画像形成装置で表示される表示画面の一例を示す図である。
【図８】図８は、本発明の実施形態に係る画像形成装置で使用される第２設定情報の他の例を示す図である。
【図９】図９は、本発明の実施形態に係る画像形成装置で実行される設定制御処理の手順の他の例を示すフローチャート
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定するものではない。
【００１１】
図１及び図２に示されるように、本発明の実施形態に係る画像形成装置１０は、操作表示部１、ＡＤＦ２、画像読取部３、画像形成部４、通信Ｉ／Ｆ５、記憶部６、及び制御部７などを備える。具体的に、画像形成装置１０は、プリント処理、スキャン処理、コピー処理、及びファクシミリ通信処理などの各種の情報処理が実行可能な複合機である。また、画像形成装置１０は、予め設定される一又は複数の設定項目の内容に従って前記情報処理を実行する情報処理装置の一例である。なお、本発明に係る情報処理装置は、画像形成装置に限らず、例えばパーソナルコンピューター、スマートフォン、タブレット端末、又は携帯端末などの各種の電子機器であってもよい。
【００１２】
操作表示部１は、情報を表示する液晶ディスプレーなどの表示部１１と、ユーザー操作を受け付けるタッチパネル１２及び操作ボタン１３とを備える。タッチパネル１２は、例えば表示部１１の前面に設けられた静電容量式のタッチセンサーを備え、ユーザーによる表示部１１のタッチ操作を検出可能である。なお、操作ボタン１３には、例えばスタートボタン、キャンセルボタン、及び停止ボタンなどが含まれる。
【００１３】
ＡＤＦ２は、原稿セット部、搬送ローラー、原稿押さえ、及び排紙部などを備え、画像読取部３の読み取り対象となる原稿を搬送する自動原稿搬送装置である。画像読取部３は、原稿台、光源、ミラー、光学レンズ、及びＣＣＤ（Ｃｈａｒｇｅ  Ｃｏｕｐｌｅｄ  Ｄｅｖｉｃｅ）を備え、ＡＤＦ２で搬送される原稿又は原稿台に載置される原稿から画像を読み取って画像データとして出力することが可能である。
【００１４】
画像形成部４は、画像データに基づいて電子写真方式又はインクジェット方式で印刷処理を実行することが可能である。例えば、画像形成部４が電子写真方式の画像形成部である場合、画像形成部４は、感光体ドラム、帯電器、露光装置、現像装置、転写装置、及び定着装置などを備える。
【００１５】
通信Ｉ／Ｆ５は、電話回線、インターネット、又はＬＡＮなどの通信網を介して、外部のファクシミリ装置又はパーソナルコンピューターなどの情報処理装置との間で所定の通信プロトコルに従った通信処理を実行することが可能な通信インターフェイスである。
【００１６】
記憶部６は、ハードディスク又はＥＥＰＲＯＭ（登録商標）などの不揮発性の記憶部である。記憶部６には、制御部７によって実行される各種の制御プログラム、及び画像形成装置１０で実行される各種の前記情報処理の設定に関する後述の第１設定情報Ｔ１及び第２設定情報Ｔ２などが記憶される。
【００１７】
制御部７は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００１８】
そして、制御部７は、前記ＲＯＭ又は記憶部６に記憶されている前記制御プログラムを前記ＣＰＵによって実行する。具体的に、制御部７は、前記制御プログラムに従って、前記プリント処理、前記スキャン処理、前記コピー処理、及び前記ファクシミリ通信処理などの各種の情報処理を実行する。例えば、前記スキャン処理では、画像読取部３によって原稿から画像データが読み取られる。また、前記コピー処理では、画像読取部３によって原稿から画像データが読み取られると共に、その画像データに基づいてシートに画像が形成される。
【００１９】
ところで、制御部７は、前記スキャン処理又は前記コピー処理などの各種の情報処理の開始前に、前記情報処理に関する一又は複数の設定項目の内容を操作表示部１に対するユーザー操作に応じて設定する。一方、例えばユーザー操作による印刷処理の設定内容の過去の使用頻度に基づいて、ユーザーの好みの設定内容を予想する技術が知られている。しかしながら、ユーザーの好みの設定内容を過去の使用頻度に基づいて予想するためには、過去の設定内容が蓄積して記憶される必要があり、記憶部に大きな記憶容量が必要になる。これに対し、画像形成装置１０では、必要な記憶容量を抑制しつつユーザーの設定操作の手間を軽減することが可能である。
【００２０】
具体的に、制御部７は、情報処理部７１と、第１設定処理部７２と、記憶処理部７３と、カウント処理部７４と、第２設定処理部７５と、特定処理部７６と、報知処理部７７とを含む。なお、制御部７は、前記制御プログラムに従って各種の処理を実行することにより各処理部として機能する。また、制御部７の各処理部の一部又は複数が電子回路であってもよい。
【００２１】
情報処理部７１は、予め設定される一又は複数の設定項目の内容に従って前記情報処理を実行する。具体的に、画像形成装置１０において、情報処理部７１は、前記情報処理として、前記プリント処理、前記スキャン処理、前記コピー処理、及び前記ファクシミリ通信処理などを実行する。例えば、前記コピー処理に対応する前記設定項目には、例えば用紙サイズ、拡大・縮小、濃度、両面印刷、ページ集約、及び部単位などが含まれる。
【００２２】
第１設定処理部７２は、前記設定項目の内容を予め設定された初期設定内容で表示させると共に、操作表示部１に対するユーザー操作に応じて前記設定項目の内容を変更可能である。具体的に、第１設定処理部７２は、前記設定項目の設定に用いられる設定画面Ｄ１を、前記設定項目の内容が前記初期設定内容に設定された状態で操作表示部１の表示部１１に表示させる。なお、設定画面Ｄ１のレイアウト等は、画像形成装置１０で実行される前記プリント処理、前記スキャン処理、前記コピー処理、及び前記ファクシミリ通信処理などの前記情報処理ごとに記憶されている。
【００２３】
また、前記設定項目ごとに対応する前記初期設定内容は、記憶部６に記憶される基準設定情報Ｔ１及び第２設定情報Ｔ２に記憶されている。なお、基準設定情報Ｔ１は、制御部７の前記ＲＯＭに記憶されていてもよい。
【００２４】
第１設定情報Ｔ１及び第２設定情報Ｔ２は、画像形成装置１０で実行される前記プリント処理、前記スキャン処理、前記コピー処理、及び前記ファクシミリ通信処理などの前記情報処理ごとに記憶されている。さらに、第２設定情報Ｔ２は、画像形成装置１０のユーザーごとに対応付けて記憶されている。なお、画像形成装置１０のユーザーには、ログイン認証を必要とすることなく画像形成装置１０を使用可能な共有ユーザーも含まれる。
【００２５】
ここに、図３は、前記コピー処理に対応する設定画面Ｄ１の一例を示す図である。図３に示されるように、設定画面Ｄ１には、複数の設定項目に対応する複数の操作キーＫ２１〜Ｋ２６が表示されている。具体的に、操作キーＫ２１、Ｋ２２、Ｋ２３、Ｋ２４、Ｋ２５、及びＫ２６は、前記コピー処理に関する用紙サイズ、拡大・縮小、濃度、両面印刷、ページ集約、及び部単位の設定項目にそれぞれ対応する操作キーである。
【００２６】
そして、制御部７は、設定画面Ｄ１における操作キーＫ２１〜Ｋ２６の操作に応じて、操作キーＫ２１〜Ｋ２６に対応する設定項目の設定操作を受け付ける。例えば、制御部７は、操作キーＫ２１が操作された場合には、画像形成装置１０で使用可能な用紙サイズを操作表示部１の表示部１１にリスト表示し、いずれかの用紙サイズの選択操作を用紙サイズの設定操作として受け付ける。また、制御部７は、操作キーＫ２２が操作された場合には、複数の拡大率の候補と拡大率を任意に入力可能な入力部とを操作表示部１の表示部１１に表示し、いずれかの拡大率の選択操作又は前記入力部に対する数値入力操作を拡大・縮小の設定操作として受け付ける。
【００２７】
一方、図４Ａは、前記コピー処理に対応する第１設定情報Ｔ１の一例を示す図であり、図４Ｂは、前記コピー処理に対応する第２設定情報Ｔ２の一例を示す図である。図４Ａに示されるように、第１設定情報Ｔ１には、前記設定項目ごとに基準設定情報が記憶されている。また、図４Ｂに示されるように、第２設定情報Ｔ２には、ユーザー設定情報、履歴データ、連続回数、及び変更フラグなどの情報が含まれる。本実施形態では、前記基準設定情報及び前記ユーザー設定情報が前記初期設定内容の一例である。
【００２８】
第１設定情報Ｔ１の基準設定情報は、画像形成装置１０の製造時又は出荷時などに予め設定された変更不能な前記設定項目各々の設定内容である。一方、第２設定情報Ｔ２のユーザー設定情報は、初期設定時などに操作表示部１のユーザー操作に応じて任意に設定可能な前記設定項目各々の設定内容である。なお、制御部７は、ユーザー操作に応じて前記ユーザー設定情報を前記基準設定情報にリセットすることが可能であってもよい。また、制御部７は、後述の設定制御処理において、第２設定情報Ｔ２のユーザー設定情報を自動的に設定することが可能である。一方、前記ユーザー設定情報が設定されるまでの間、第２設定情報Ｔ２には前記ユーザー設定情報が記憶されていない状態となる。なお、前記ユーザー設定情報の初期設定内容が第１設定情報Ｔ１と同じ内容に設定されていてもよい。
【００２９】
第２設定情報Ｔ２に含まれる前記履歴データには、画像形成装置１０で実行された第２設定情報Ｔ２に対応する前記情報処理のうち直近の前記情報処理のみに関する前記設定項目各々の設定内容が含まれる。
【００３０】
第２設定情報Ｔ２に含まれる前記連続回数には、前記履歴データにおける前記設定項目の内容と同じ内容で連続して第２設定情報Ｔ２に対応する前記情報処理が実行された回数の情報が記憶される。
【００３１】
第２設定情報Ｔ２に含まれる前記変更フラグは、前記履歴データに基づいて前記ユーザー設定情報が自動的に変更されているか否かを示す情報である。前記変更フラグの初期値は「０」であり、後述の設定制御処理において前記ユーザー設定情報が自動的に変更された場合に「１」に変更される。
【００３２】
記憶処理部７３は、前記情報処理が実行されるごとに前記設定項目各々の内容を記憶部６に記憶される一つの前記履歴データとして上書きして記憶させる。即ち、画像形成装置１０では、第２設定情報Ｔ２各々に記憶される前記履歴データは一つのみであり、前記情報処理の実行ごとに前記履歴データが上書き保存される。
【００３３】
カウント処理部７４は、第１設定処理部７２によって前記履歴データにおける前記設定項目の内容と同じ内容で連続して前記情報処理が実行された回数をカウントし、第２設定情報Ｔ２に含まれる前記連続回数として記憶する。これにより、制御部７は、前記連続回数を参照することにより、前記履歴データにおける前記設定項目の内容と同じ内容で連続して前記情報処理が実行された回数を認識することが可能である。
【００３４】
第２設定処理部７５は、カウント処理部７４によってカウントされている前記連続回数が予め設定された閾値に達した場合に、前記履歴データにおける前記設定項目の内容を自動的に前記ユーザー設定情報として設定する。前記閾値は、例えば３回、５回のような回数を示す数値である。なお、制御部７は、画像形成装置１０の初期設定又はシステム設定などにおいて、操作表示部１に対するユーザー操作に応じて前記閾値を変更することが可能である。
【００３５】
特定処理部７６は、画像形成装置１０を使用するユーザーを特定するログイン処理を実行する。例えば、特定処理部７６は、操作表示部１に対するユーザーＩＤ及びパスワードの入力操作に応じてユーザーのログイン認証処理を実行することによりユーザーを特定する。なお、ユーザーのログイン認証の内容はこれに限らず、例えば画像形成装置１０にカードリーダーが設けられており、そのカードリーダーによって読み取られるカードの情報に基づいてユーザーが特定されてもよい。
【００３６】
報知処理部７７は、第２設定処理部７５によって前記ユーザー設定情報が変更された場合に前記ユーザー設定情報が変更された旨を報知する。例えば、第２設定処理部７５は、前記ユーザー設定情報が変更された場合に、その旨を示すメッセージを予め設定された報知期間のみ操作表示部１の表示部１１に表示してから消去する。
【００３７】
以下、図５を参照しつつ、画像形成装置１０において、制御部７によって実行される設定制御処理の手順の一例について説明する。ここで、ステップＳ１、Ｓ２・・・は、制御部７により実行される処理手順（ステップ）の番号を表している。また、図６及び図７は、前記設定制御処理によって画像形成装置１０で表示される設定画面Ｄ１の表示例を示す図である。なお、ここでは前記情報処理として前記コピー処理が実行される場合に対応する前記設定制御処理を例に挙げて説明するが、他の前記プリント処理、前記スキャン処理、又は前記ファクシミリ通信処理などの情報処理についても同様の前記設定制御処理が実行される。
【００３８】
＜ステップＳ１＞
ステップＳ１において、制御部７は、画像形成装置１０の現在のユーザーに対応して記憶部７に記憶されている第２設定情報Ｔ２において前記ユーザー設定情報が設定されているか否かを判断する。なお、画像形成装置１０の現在のユーザーは、特定処理部７６によって特定される。また、制御部７は、特定のユーザーが画像形成装置１０にログインしていない状態では、前記共用ユーザーに対応する第２設定情報Ｔ２を参照する。ここで、前記ユーザー設定情報が設定されている場合には（Ｓ１：Ｙｅｓ）、処理がステップＳ２に移行し、前記ユーザー設定情報が設定されていなければ（Ｓ１：Ｎｏ）、処理がステップＳ１１に移行する。
【００３９】
＜ステップＳ１１＞
ステップＳ１１において、制御部７は、第１設定情報Ｔ１の基準設定情報を適用して設定画面Ｄ１を操作表示部１の表示部１１に表示させる。具体的に、制御部７は、前記基準設定情報に含まれる各種の設定項目の内容を設定画面Ｄ１における各種の設定項目の内容に反映させた状態で設定画面Ｄ１を表示させる。ここに、図３は、図４に示される前記基準設定情報が設定されている場合に対応する設定画面Ｄ１の初期表示状態を示す図である。なお、前記基準設定情報は前記初期設定内容の一例であり、ステップＳ１１は制御部７の第１設定処理部７２によって実行される。
【００４０】
＜ステップＳ２＞
ステップＳ２において、制御部７は、現在のユーザー及び前記情報処理の内容に対応付けて記憶部６に記憶されている第２設定情報Ｔ２のユーザー設定情報を適用して設定画面Ｄ１を操作表示部１の表示部１１に表示させる。具体的に、制御部７は、前記ユーザー設定情報に含まれる各種の設定項目の内容を設定画面Ｄ１における各種の設定項目の内容に反映させた状態で設定画面Ｄ１を表示させる。ここに、図６は、図４に示される前記ユーザー設定情報が設定されている場合に対応する設定画面Ｄ１の初期表示状態を示す図である。なお、前記ユーザー設定情報は前記初期設定内容の一例であり、ステップＳ２は制御部７の第１設定処理部７２によって実行される。
【００４１】
＜ステップＳ３＞
ステップＳ３において、制御部７は、前記情報処理の開始が要求されたか否かを判断する。具体的に、制御部７は、操作表示部１の操作ボタン１３に含まれるスタートキーの操作に応じて前記情報処理の開始が要求されたと判断する。ここで、前記情報処理の開始が要求されたと判断された場合は（Ｓ３：Ｙｅｓ）、処理がステップＳ４に移行する。一方、前記情報処理の開始が要求されるまでの間（Ｓ３：Ｎｏ）、制御部７は、設定画面Ｄ１におけるユーザー操作に応じた前記設定項目各々の設定操作などを受け付ける。なお、制御部７は、前記情報処理の開始の要求に応じて前記情報処理の実行を開始するが、その点についてはここでは説明を省略する。
【００４２】
＜ステップＳ４＞
ステップＳ４において、制御部７は、設定画面Ｄ１で設定された前記設定項目各々の内容が前記履歴データに含まれる前記設定項目各々の内容と同じであるか否かを判定して処理を分岐する。具体的に、制御部７は、設定画面Ｄ１で設定される全ての前記設定項目の内容が前記履歴データに含まれる前記設定項目の内容と同じであるか否かを判定する。
【００４３】
そして、全ての前記設定項目の内容が前記履歴データと同じであると判断されると（Ｓ４：Ｙｅｓ）、処理がステップＳ５に移行し、同じでないと判断されると（Ｓ４：Ｎｏ）、処理がステップＳ４１に移行する。なお、制御部７によって、設定画面Ｄ１で設定される全ての前記設定項目のうち予め設定された一又は複数の特定の設定項目の内容が前記履歴データに含まれる前記設定項目の内容と同じであるか否かが判定されてもよい。この場合、例えば印刷枚数のような設定項目のみを判定対象から除外することが可能である。
【００４４】
＜ステップＳ５＞
ステップＳ５において、制御部７は、現在のユーザー及び前記情報処理の内容に対応付けて記憶部６に記憶されている第２設定情報Ｔ２の前記連続回数を１加算する。即ち、ステップＳ４〜Ｓ５では、前記履歴データにおける複数の前記設定項目の内容が全て同じ内容で連続して前記情報処理が実行された回数が前記ユーザーごとにカウントされる。なお、ステップＳ４〜ステップＳ５は、制御部７のカウント処理部７４によって実行される。これにより、制御部７は、前記連続回数を参照することにより、前記履歴データと同じ内容で前記情報処理が連続して実行された回数を認識することが可能になる。
【００４５】
＜ステップＳ４１＞
ステップＳ４１において、制御部７は、現在のユーザー及び前記情報処理の内容に対応付けて記憶部６に記憶されている第２設定情報Ｔ２の前記連続回数を０にリセットし、処理をステップＳ８に移行させる。なお、前記連続回数がリセットされても第２設定情報Ｔ２における前記ユーザー設定情報は消去されない。
【００４６】
＜ステップＳ６＞
ステップＳ６において、制御部７は、第２設定情報Ｔ２の前記連続回数が予め設定された前記閾値以上であるか否かを判断する。ここで、前記連続回数が前記閾値以上であると判断された場合（Ｓ６：Ｙｅｓ）、処理がステップＳ７に移行し、前記連続回数が前記閾値以上でないと判断されると（Ｓ６：Ｎｏ）、処理がステップＳ８に移行する。
【００４７】
＜ステップＳ７＞
ステップＳ７において、制御部７は、現在のユーザー及び前記情報処理の内容に対応付けて記憶部６に記憶されている第２設定情報Ｔ２の前記履歴データにおける前記設定項目各々の内容を、前記設定項目各々に対応する前記ユーザー設定情報として設定する。即ち、制御部７は、同じユーザーによって同じ設定内容で同じ前記情報処理が連続して前記閾値の回数以上実行された場合に、その設定内容を自動的に前記ユーザー設定情報として設定する。従って、前記ユーザー設定情報は前記ユーザーごとに個別に設定されることになる。これにより、次に前記情報処理が実行される場合には、設定画面Ｄ１の初期表示状態として前記ユーザー設定情報が反映された状態で表示されることになる。なお、ステップＳ６〜Ｓ７の処理は制御部７の第２設定処理部７５によって実行される。
【００４８】
また、制御部７は、ステップＳ７において、前記ユーザー設定情報が自動的に変更された旨を示す第２設定情報Ｔ２の前記変更フラグを「１」に設定する。これにより、制御部７は、前記ユーザー設定情報が前記履歴データに基づいて自動的に設定されているか否かを認識することが可能である。前記変更フラグは、前記ユーザー設定情報が消去された場合、又は前記ユーザー設定情報が前記基準設定情報にリセットされた場合などに「０」にリセットされる。
【００４９】
＜ステップＳ８＞
ステップＳ８において、制御部７は、第２設定情報Ｔ２の前記ユーザー設定情報が前記履歴データに基づいて自動的に変更されているか否かを判断する。具体的に、制御部７は、第２設定情報Ｔ２の前記変更フラグが「１」である場合に、前記ユーザー設定情報が前記履歴データに基づいて自動的に変更されていると判断する。そして、前記ユーザー設定情報が前記履歴データに基づいて自動的に変更されていると判断された場合（Ｓ８：Ｙｅｓ）、処理がステップＳ９に移行し、自動的に変更されていないと判断されると（Ｓ８：Ｎｏ）、当該設定制御処理が終了する。
【００５０】
＜ステップＳ９＞
ステップＳ９において、制御部７は、ステップＳ７により前記ユーザー設定情報が自動的に変更された旨を予め設定された報知期間の間だけ報知する。なお、ステップＳ９は、制御部７の報知処理部７６によって実行される。即ち、ステップＳ８〜Ｓ９により、制御部７は、前記情報処理について前記ユーザー設定情報が変更されている場合は、前記情報処理の実行ごとに前記ユーザー設定情報が変更されていることが報知される。
【００５１】
具体的に、制御部７は、前記ユーザー設定情報が自動的に変更されている旨を設定画面Ｄ１上にポップアップで表示させることによってユーザーに報知する。その後、制御部７は、前記報知期間が経過した場合に前記ポップアップの表示を終了する。例えば、図７に示されるように、前記ユーザー設定情報が自動的に変更されている旨のメッセージを含むポップアップ画面Ｍ１が設定画面Ｄ１上に表示される。また、ポップアップ画面Ｍ１の背景は、図７に示されるように透明又は半透明で表示される。これにより、ユーザーは、設定画面Ｄ１上における前記設定項目各々の設定内容を目視することが可能である。
【００５２】
ところで、制御部７は、図７にも示されているように、ポップアップ画面Ｍ１において、前記ユーザー設定情報の変更を維持するか否かを選択させるための操作キーを表示させる。そして、制御部７は、維持する旨の操作が行われた場合、又はポップアップ画面Ｍ１の表示が消えるまでの間に操作が行われなかった場合には、前記ユーザー設定情報が変更された状態を継続する。一方、制御部７は、元に戻す旨の操作が行われた場合には、前記ユーザー設定情報を消去し、又は前記ユーザー設定情報を前記基準設定情報にリセットする。これにより、ユーザーは、前記ユーザー設定情報を容易に消去又はリセットすることが可能である。
【００５３】
これにより、ユーザーは、前記ユーザー設定情報が前記履歴データに基づいて自動的に変更されている場合に、その旨を前記情報処理の実行ごとに認識することが可能になると共に、前記ユーザー設定情報の変更の維持の有無を選択することが可能となる。なお、ステップＳ９の処理が、前記ユーザー設定情報が前記履歴データに基づいて自動的に変更されたときに一度だけ実行されることも他の実施形態として考えられる。
【００５４】
＜ステップＳ１０＞
その後、ステップＳ１０において、制御部７は、今回の前記情報処理で設定されていた前記設定項目各々の内容を前記履歴データとして第２設定情報Ｔ２に上書きして記憶させる。即ち、第２設定情報Ｔ２では、直前に実行された前記情報処理の１回分の前記履歴データのみが順次上書きして記憶される。なお、ステップＳ１０は、制御部７の記憶処理部７３によって実行される。
【００５５】
以上説明したように、画像形成装置１０では、第２設定情報Ｔ２の前記ユーザー設定情報が、前記履歴データ及び前記連続回数に基づいて自動的に更新されることになる。より具体的に、前記履歴データと同じ内容で前記情報処理が連続して実行された回数を示す前記連続回数が前記閾値に達したことを条件に、前記履歴データが前記ユーザー設定情報として自動的に設定される。これにより、ユーザーの好みの設定内容に自動的に設定されるため、ユーザーの設定操作の手間が軽減される。また、第２設定情報Ｔ２では、１回分の前記履歴データと前記連続回数の数値のみが記憶されていればよいため、例えば複数回分の前記履歴データが記憶される場合に比べて、記憶部６に必要な記憶容量が抑制される。
【００５６】
［他の実施形態］
ところで、本実施形態では、前記設定制御処理において、第２設定情報Ｔ２の前記履歴データの全ての前記設定項目が全て同じであるか否かに応じて、前記連続回数が加算又はリセットされる場合について説明した。一方、以下で説明されるように、前記設定制御処理において、前記履歴データにおける前記設定項目の内容が同じ内容で連続して前記情報処理が実行された回数が前記設定項目ごとに個別にカウントされることが考えられる。
【００５７】
ここに、図８は、前記設定制御処理において前記設定項目ごとに処理が実行される場合に用いられる第２設定情報Ｔ２の一例を示す図である。図８に示されるように、第２設定情報Ｔ２では、前記設定項目ごとに前記連続回数及び前記変更フラグが記憶可能である。
【００５８】
そして、図９は、前記設定項目ごとに処理が実行される場合の前記設定制御処理の一例を示すフローチャートである。なお、図９において、前記設定制御処理（図５参照）と同様の処理については同じ識別符号が付されている。
【００５９】
＜ステップＳ２１＞
図９に示される前記設定制御処理では、ステップＳ４の前段においてステップＳ２１の処理が実行される。ステップＳ２１において、制御部７は、前記設定項目各々を処理対象として順次選択し、その選択された前記設定項目についてステップＳ４以降の処理を実行する。
【００６０】
＜ステップＳ２２＞
一方、ステップＳ２２において、制御部７は、全ての前記設定項目が処理対象として選択されたか否かを判断する。ここで、全ての前記設定項目が処理対象として選択されたと判断されると（Ｓ２２：Ｙｅｓ）、処理がステップＳ８に移行し、全ての前記設定項目が処理対象として選択されていないと判断されると（Ｓ２２：Ｎｏ）、処理がステップＳ２１に戻される。
【００６１】
これにより、前記設定制御処理において、制御部７は、設定画面Ｄ１で設定されている前記設定項目ごとに、前記履歴データにおける前記設定項目の内容と同じであるか否かを判断する（Ｓ４）。ここで、制御部７は、前記設定項目のうち前記履歴データにおける前記設定項目の内容と同じ設定項目については前記連続回数を加算する（Ｓ５）。また、制御部７は、前記設定項目のうち前記履歴データにおける前記設定項目の内容と同じでない設定項目については前記連続回数をリセットする（Ｓ４１）。
【００６２】
そして、制御部７は、前記連続回数が前記閾値以上に達した前記設定項目のみについて（Ｓ６：Ｙｅｓ）、前記履歴データの内容を前記ユーザー設定情報として設定する（Ｓ７）。即ち、ステップＳ５でカウントされる前記連続回数が前記閾値に達した前記設定項目に対応する前記ユーザー設定情報のみが前記履歴データにおける前記設定項目の内容に設定される。例えば、「用紙サイズ」が「Ａ３」に設定されて前記コピー処理が前記閾値以上連続して実行された場合には、他の前記設定項目が異なる場合であっても、前記ユーザー設定情報における「用紙サイズ」のみが「Ａ３」に設定される。なお、前記閾値は、前記設定項目ごとに異なる値であってもよい。
【００６３】
また、ステップＳ８〜Ｓ９において、制御部７は、前記ユーザー設定情報のうち少なくとも一つ以上の前記設定項目について前記変更フラグが「１」に設定されている場合に報知処理を実行することが考えられる。
【符号の説明】
【００６４】
１    操作表示部
２    ＡＤＦ
３    画像読取部
４    画像形成部
５    通信Ｉ／Ｆ
６    記憶部
７    制御部
７１  情報処理部
７２  第１設定処理部
７３  記憶処理部
７４  カウント処理部
７５  第２設定処理部
７６  特定処理部
７７  報知処理部
１０  画像形成装置
【図１】
0006341168.tif 000002
【図２】
0006341168.tif 000003
【図３】
0006341168.tif 000004
【図４Ａ】
0006341168.tif 000005
【図４Ｂ】
0006341168.tif 000006
【図５】
0006341168.tif 000007
【図６】
0006341168.tif 000008
【図７】
0006341168.tif 000009
【図８】
0006341168.tif 000010
【図９】
0006341168.tif 000011